【事件の表示】
　平成１１年特許願第１２９７５５号「医療用酸素濃縮装置」拒絶査定不服審判事件〔平成１２年１１月２１日出願公開、特開２０００−３１６９７５号〕について、次のとおり審決する。
【結　論】
　本件審判の請求は、成り立たない。
【理　由】
１．手続の経緯
　本願は、平成１１年５月１１日の出願であって、平成１９年２月１５日付けで拒絶査定がなされ、これに対し、平成１９年３月２８日に拒絶査定不服の審判請求がなされるとともに、同日付けで手続補正書が提出されたものである。
　
　
２．補正の目的の適否と本願発明
　平成１９年３月２８日付けで提出された手続補正書による補正（以下、「本件補正」という。）は、平成１８年１２月２８日付けで提出された手続補正書により補正された特許請求の範囲の請求項５を削除するものであるから、本件補正は、平成１４年法律第２４号改正附則第２条第１項によりなお従前の例によるとされる同法による改正前の特許法第１７条の２第４項第１号の、請求項の削除を目的とするものに該当する。
　したがって、本願の請求項１に係る発明は、本件補正により補正された特許請求の範囲の請求項１に記載された事項により特定される以下のとおりのものである。
「【請求項１】　空気から酸素を選択的に分離する分離手段と、該分離手段へ圧縮空気を供給するためのコンプレッサー手段と、分離手段から酸素濃縮気体を使用に供するための供給手段から少なくとも構成される在宅酸素療法のための医療用酸素濃縮装置において、装置の異常状態を監視するためのセンサーと、音声表示手段を設けるとともに、これらのセンサーにより検出した前記異常状態を区別して、異常発生部分を音声表示し、さらに警報灯もしくは警報ブザーを同時に作動させることを特徴とする医療用酸素濃縮装置。（以下、「本願発明」という。）」
　
　
３．引用刊行物
　原査定の拒絶の理由に引用された、本願出願前に頒布された刊行物である特開平１０−１０４１９０号公報（以下、「引用刊行物」という。）には、次の事項が図面とともに記載されている。
（ア）「…
　【請求項１０】　酸素濃縮空気の流量調整および各種警告を表示するための操作パネルと，空気取入口を介して室内から装置内部に取り込んだ空気を圧縮して圧縮空気を送出するコンプレッサーと，前記コンプレッサーで圧縮した圧縮空気を冷却する圧縮空気冷却器と，前記圧縮空気冷却器で冷却した圧縮空気を取り込み，前記圧縮空気から窒素を選択的に吸着して酸素濃縮空気を送出する吸着器と，を備えた酸素濃縮装置において，前記コンプレッサーで圧縮した圧縮空気の圧力を検出する圧力センサと，前記吸着器から送出される酸素濃縮空気の酸素濃度に対応した電圧を出力する電池式の酸素センサと，前記酸素センサからの出力電圧を入力して酸素濃度を検出する酸素濃度検出手段と，前記圧力センサで検出した圧力および前記酸素濃度検出手段で検出した酸素濃度に基づいて，装置本体の動作の異常判定および前記酸素センサの異常判定を行う判定手段と，を備え，前記判定手段が，前記圧力センサで検出した圧力が所定の圧力以上かつ前記酸素センサで検出した酸素濃度が所定の濃度以上の場合に，正常動作であると判定し，前記圧力センサで検出した圧力が所定の圧力以下の場合に，異常動作であると判定し，前記圧力センサで検出した圧力が所定の圧力以上かつ前記酸素センサで検出した酸素濃度が所定の濃度以下の場合に，前記酸素センサに起因する異常であると判定することを特徴とする酸素濃縮装置。
　【請求項１１】　請求項１０記載の酸素濃縮装置において，前記操作パネルが，前記判定手段の判定結果に基づいて，正常動作の表示，異常動作でかつ前記酸素センサが正常の表示，異常動作でかつ前記酸素センサが異常の表示の３種類の表示を行うことを特徴とする酸素濃縮装置。
　…　」（特許請求の範囲）
（イ）「【発明の属する技術分野】
　本発明は，呼吸器疾患患者の在宅酸素療法等で使用されている酸素濃縮装置に内蔵された酸素センサや，その酸素濃縮装置の酸素濃度検出精度・利便性の向上を図った酸素センサを用いた酸素濃度検出方法，酸素センサの異常判定方法，酸素濃縮装置の異常判定方法および酸素濃縮装置に関する。」（段落【０００１】）
（ウ）「〔実施の形態１〕
　図１（ａ），（ｂ）は，実施の形態１の酸素濃縮装置の外観図を示す。図示の如く，酸素濃縮装置１００は，取り外し可能な前部パネル１０１と，取り外し可能な後部パネル１０２と，後述する装置各部を載置した本体底部ボックス１０３から成るボックス型の筐体で構成されている。
　前部パネル１０１には，酸素濃縮装置１００で生成した酸素濃縮空気を取り出すためのアウトレット１０４を有する窪み部１０５が設けられており，必要に応じてこの窪み部１０５に湿潤器（図示せず）を配置可能な構成である。また，１０６は酸素濃縮空気の流量調整および各種警告を表示するための操作パネルを示し，後述する本体底部ボックス１０３に固定された遮蔽隔壁１１０（図２参照）に取り付けられている。
　また，後部パネル１０２には，装置内部に空気を取り入れるための空気取入口１０７が設けられている。この空気取入口１０７には，空気中の汚れを除去するための防塵フィルター（図示せず）が配設されている。
　図２（ａ），（ｂ）は，酸素濃縮装置１００の内部構造を示し，本体底部ボックス１０３上には，空気取入口１０７を介して室内から装置内部に取り込んだ空気を圧縮して圧縮空気を送出するコンプレッサー１０８と，コンプレッサー１０８で圧縮した圧縮空気を冷却する圧縮空気冷却器としての熱交換器（図示せず）と，熱交換器で冷却した圧縮空気を取り込み，該圧縮空気から窒素を選択的に吸着する吸着器１０９と，空気取入口１０７および吸着器１０９を配置した領域とコンプレッサー１０８を配置した領域とを隔てる遮蔽隔壁１１０と，遮蔽隔壁１１０によって隔てられた空気取入口１０７および吸着器１０９を配置した領域からコンプレッサー１０８を配置した領域へ空気を送るための空気通路１１１と，空気通路１１１を介してコンプレッサー１０８側へ効率的に空気を取り入れるためのシロッコファン１１２と，コンプレッサー１０８を収納したコンプレッサーボックス１０８ａと，吸着器１０９を支持固定するために吸着器１０９の下部に配置された支持固定台１１３と，から構成される。」（段落【００２７】〜【００３０】）
（エ）「正常（酸素濃度）ランプＬＥＤｂは，グリーンのＬＥＤからなり，後述する制御回路２０７からの正常・異常判定信号にしたがって，点灯・消灯する。この正常（酸素濃度）ランプＬＥＤｂが点灯中は，酸素濃度および圧力が正常であり，装置が正常動作していることを示している。
　また，異常（酸素濃度）ランプＬＥＤｃは，レッドのＬＥＤからなり，後述する制御回路２０７からの正常・異常判定信号にしたがって，点灯・消灯する。この異常（酸素濃度）ランプＬＥＤｃが点灯中は，圧力が異常であり，装置が異常動作しているので，直ぐにサービスマン等を呼んで，装置の修理を行う必要があることを示している。
　また，Ｏ２センサランプＬＥＤｄは，イエローのＬＥＤからなり，後述する制御回路２０７からの酸素センサ警報信号にしたがって，点灯・消灯する。このＯ２センサランプＬＥＤｄが点灯中は，圧力は正常であるが，酸素センサが異常であることを示している。ただし，一般的には，圧力が正常である場合には，酸素濃縮装置の構造上，酸素濃度は正常（一定濃度以上，通常は８５％以上）に出力されていることが多く，経験的に継続して使用可能であることが判っているので，出来るだけ早くサービスマン等を呼んで，装置の点検を行うように警告するものである。」（段落【００３３】〜【００３５】）
　
　以上の記載事項からみて、引用刊行物には、次の発明が記載されていると認められる。
「圧縮空気から窒素を選択的に吸着して酸素濃縮空気を送出する吸着器と、装置内部に取り込んだ空気を圧縮して圧縮空気を送出するコンプレッサーと、酸素濃縮装置で生成した酸素濃縮空気を取り出すためのアウトレットから構成される在宅酸素療法等で使用されている酸素濃縮装置において、前記コンプレッサーで圧縮した圧縮空気の圧力を検出する圧力センサと、前記吸着器から送出される酸素濃縮空気の酸素濃度に対応した電圧を出力する電池式の酸素センサと、前記酸素センサからの出力電圧を入力して酸素濃度を検出する酸素濃度検出手段と、前記圧力センサで検出した圧力および前記酸素濃度検出手段で検出した酸素濃度に基づいて、装置本体の動作の異常判定および前記酸素センサの異常判定を行う判定手段と、を備え、前記判定手段が、前記圧力センサで検出した圧力が所定の圧力以上かつ前記酸素センサで検出した酸素濃度が所定の濃度以上の場合に、正常動作であると判定し、前記圧力センサで検出した圧力が所定の圧力以下の場合に、異常動作であると判定し、前記圧力センサで検出した圧力が所定の圧力以上かつ前記酸素センサで検出した酸素濃度が所定の濃度以下の場合に、前記酸素センサに起因する異常であると判定し、操作パネルが、前記判定手段の判定結果に基づいて、正常動作の表示、異常動作でかつ前記酸素センサが正常の表示、異常動作でかつ前記酸素センサが異常の表示の３種類の表示をランプの点灯により行う酸素濃縮装置。」
　
　
４．対比・判断
（ａ）本願発明と引用刊行物記載の発明とを対比すると、その構造又は機能からみて、引用刊行物記載の発明の「酸素濃縮空気」は、本願発明の「酸素濃縮気体」に相当し、以下同様に、「在宅酸素療法等で使用されている酸素濃縮装置」は「在宅酸素療法のための医療用酸素濃縮装置」に、「酸素濃縮装置」は「医療用酸素濃縮装置」に相当する。
（ｂ）引用刊行物記載の発明の「圧縮空気から窒素を選択的に吸着して酸素濃縮空気を送出する吸着器」は、その機能からみて、本願発明の「空気から酸素を選択的に分離する分離手段」に相当する。
（ｃ）引用刊行物記載の発明の「コンプレッサー」は、「圧縮空気を送出する」ものであり、上記「３．（ア）」の記載から「圧縮空気」が当該「コンプレッサー」の下流にある本願発明の「分離手段」に相当する「吸着器」へ供給されていることから、本願発明の「分離手段へ圧縮空気を供給するためのコンプレッサー手段」に相当する。
（ｄ）引用刊行物記載の発明は、「酸素濃縮装置で生成した酸素濃縮空気を取り出すためのアウトレット」を備えていることから、本願発明の「分離手段」に相当する「吸着器」から酸素濃縮気体を使用に供するための供給手段を備えているといえ、上記において引用刊行物記載の発明と本願発明は共通する。
（ｅ）引用刊行物記載の発明の「前記コンプレッサーで圧縮した圧縮空気の圧力を検出する圧力センサと、前記吸着器から送出される酸素濃縮空気の酸素濃度に対応した電圧を出力する電池式の酸素センサと、前記酸素センサからの出力電圧を入力して酸素濃度を検出する酸素濃度検出手段と、前記圧力センサで検出した圧力および前記酸素濃度検出手段で検出した酸素濃度に基づいて、装置本体の動作の異常判定および前記酸素センサの異常判定を行う判定手段と、を備え、前記判定手段が、前記圧力センサで検出した圧力が所定の圧力以上かつ前記酸素センサで検出した酸素濃度が所定の濃度以上の場合に、正常動作であると判定し、前記圧力センサで検出した圧力が所定の圧力以下の場合に、異常動作であると判定し、前記圧力センサで検出した圧力が所定の圧力以上かつ前記酸素センサで検出した酸素濃度が所定の濃度以下の場合に、前記酸素センサに起因する異常であると判定し、操作パネルが、前記判定手段の判定結果に基づいて、正常動作の表示、異常動作でかつ前記酸素センサが正常の表示、異常動作でかつ前記酸素センサが異常の表示の３種類の表示をランプの点灯により行う」という記載からみて、上記「圧力センサ」及び「酸素センサ」は、本願発明の「装置の異常状態を監視するためのセンサー」に相当し、引用刊行物記載の発明は、これらのセンサーにより検出した異常状態を区別して、異常発生部分を表示手段により表示するといえ、上記において引用刊行物記載の発明と本願発明は共通する。
　
　そこで、本願発明の用語を用いて表現すると、本願発明と引用刊行物記載の発明とは、
「空気から酸素を選択的に分離する分離手段と、該分離手段へ圧縮空気を供給するためのコンプレッサー手段と、分離手段から酸素濃縮気体を使用に供するための供給手段から少なくとも構成される在宅酸素療法のための医療用酸素濃縮装置において、装置の異常状態を監視するためのセンサーと、表示手段を設けるとともに、これらのセンサーにより検出した前記異常状態を区別して、異常発生部分を表示する医療用酸素濃縮装置。」という点で一致し、次の点で相違する。
　
（相違点）
　本願発明は、表示手段として「音声表示手段」を設け、該表示手段とともに「警報灯もしくは警報ブザーを同時に作動させ」ているのに対して、引用刊行物記載の発明は、表示手段として「ランプ」のみを設けている点。
　
　そこで上記相違点について検討する。
　異常状態の表示手段として、音声表示手段又は警報灯を設けることは、例えば、原査定の拒絶の理由に引用された特開平９−２９９４８５号公報（【００２５】）、当審において新たに示す実願昭６１−１０５０３１号（実開昭６３−１２２９２号）のマイクロフィルム（実用新案登録請求の範囲）に記載されているように、周知の技術であり、音声表示手段と、点灯又は点滅表示する手段、あるいは、警報灯を組み合わせて用いることも、例えば、上記特開平９−２９９４８５号公報（【００２４】）、上記実願昭６１−１０５０３１号（実開昭６３−１２２９２号）のマイクロフィルム（実用新案登録請求の範囲）に記載されているように、周知の技術である。よって、引用刊行物に記載された発明において、表示手段として音声表示手段を設け、警報灯を同時に作動させることは、当業者が容易に想到し得るものである。
　
　そして、本願発明による効果も、引用刊行物記載の発明及び周知の技術から、当業者が予測し得る範囲のものであって、格別なものとはいえない。
　
　
５．むすび
　以上のとおり、本願発明は、引用刊行物記載の発明及び周知の技術に基いて当業者が容易に発明をすることができたものであるから、特許法第２９条第２項の規定により特許を受けることができない。
　よって、結論のとおり審決する。